(57)【特許請求の範囲】
【請求項１】
電力供給を行う配電網に接続された複数の需要家によって使用される蓄電装置の劣化状態を管理する蓄電装置管理システムであって、
前記蓄電装置に対する充放電指示を行う制御信号を受信する受信部と、
前記受信部において受信した前記制御信号を送信した送信装置を特定する送信元特定部と、
前記送信元特定部において特定された前記送信装置に関する装置情報と、前記送信装置から送信された前記制御信号によって実施される充放電による前記蓄電装置の状態変化に関する蓄電装置状態情報とを保存する記憶部と、
前記装置情報と前記蓄電装置状態情報とに基づいて、前記送信装置から送信された前記制御信号によって充放電制御された前記蓄電装置の劣化度を推定する劣化度推定部と、
を備えている蓄電装置管理システム。
【請求項２】
前記記憶部は、前記劣化度推定部において推定された前記蓄電装置の劣化度と、前記送信元特定部において特定された前記装置情報とに基づいて、前記送信装置と、前記送信装置から送信された前記制御信号によって実施された充放電に起因する前記蓄電装置の劣化度とを関連付けた因果関係情報を、さらに保存する、
請求項１に記載の蓄電装置管理システム。
【請求項３】
前記蓄電装置状態情報には、前記蓄電装置の満充電容量、内部抵抗、温度のうち少なくとも１つに関する情報が含まれる、
請求項１または２に記載の蓄電装置管理システム。
【請求項４】
前記蓄電装置状態情報は、前記蓄電装置に設けられた電流センサ、電圧センサ、温度センサの少なくとも１つを用いて取得される、
請求項３に記載の蓄電装置管理システム。
【請求項５】
前記制御信号に基づいて前記蓄電装置の充放電制御を実施する充放電制御部を、さらに備え、
前記充放電制御部は、前記記憶部に保存された前記因果関係情報に基づいて、前記送信装置から受信した前記制御信号に基づく充放電制御を行うか否かを判定する、
請求項２に記載の蓄電装置管理システム。
【請求項６】
前記充放電制御部において充放電制御を行わないと判定された前記送信装置から受信した前記制御信号および前記送信装置の所有者に関する情報のうち少なくとも一方を抽出する使用制限対象抽出部を、さらに備えている、
請求項５に記載の蓄電装置管理システム。
【請求項７】
前記劣化度推定部による推定結果および前記因果関係情報のうち少なくとも一方を表示部に表示させる表示制御部を、をさらに備えている、
請求項２に記載の蓄電装置管理システム。
【請求項８】
前記因果関係情報に応じて、前記制御信号を送信した前記送信装置の使用者を課金対象として設定する課金設定部を、さらに備えている、
請求項２に記載の蓄電装置管理システム。
【請求項９】
請求項１から８のいずれか１項に記載の蓄電装置管理システムと、
前記充放電指示に応じて充放電されるセルと、
を備えた蓄電装置。
【請求項１０】
電力供給を行う配電網に接続された複数の需要家によって使用される蓄電装置の劣化状態を管理する蓄電装置管理方法であって、
前記蓄電装置に対する充放電指示を行う制御信号を受信する受信ステップと、
前記受信ステップにおいて受信した前記制御信号を送信した送信装置を特定する送信元特定ステップと、
前記送信元特定ステップにおいて特定された前記送信装置に関する装置情報と、前記送信装置から送信された前記制御信号によって実施される充放電による前記蓄電装置の状態変化に関する蓄電装置状態情報とに基づいて、前記送信装置から送信された前記制御信号によって充放電制御された前記蓄電装置の劣化度を推定する劣化度推定ステップと、
を備えている蓄電装置管理方法。
【請求項１１】
電力供給を行う配電網に接続された複数の需要家によって使用される蓄電装置の劣化状態を管理する蓄電装置管理プログラムであって、
前記蓄電装置に対する充放電指示を行う制御信号を受信する受信ステップと、
前記受信ステップにおいて受信した前記制御信号を送信した送信装置を特定する送信元特定ステップと、
前記送信元特定ステップにおいて特定された前記送信装置に関する装置情報と、前記送信装置から送信された前記制御信号によって実施される充放電による前記蓄電装置の状態変化に関する蓄電装置状態情報とに基づいて、前記送信装置から送信された前記制御信号によって充放電制御された前記蓄電装置の劣化度を推定する劣化度推定ステップと、
を備えている蓄電装置管理方法をコンピュータに実行させる蓄電装置管理プログラム。
【発明の詳細な説明】
【技術分野】
【０００１】
本発明は、電力供給を行う配電網に接続された複数の需要家によって使用される蓄電装置の劣化情報を管理する蓄電装置管理システム、蓄電装置、蓄電装置管理方法および蓄電装置管理プログラムに関する。
【背景技術】
【０００２】
近年、複数の需要家に対して電力を供給する配電網内に、電力を蓄えるための蓄電装置が配備されるようになっている。そして、このような配電網に配置された複数の蓄電装置について、所有者である需要家とは異なる需要家が使用できるように、仮想的な大きな蓄電装置として運用される提案がなされている。
例えば、特許文献１には、蓄電装置を所有していないユーザであっても、スマートグリッドネットワーク上に接続された共有の蓄電装置をシェアして使用することが可能な電力ネットワークシステムについて開示されている。
【先行技術文献】
【特許文献】
【０００３】
【特許文献１】特開２０１３−１６９１３７号公報
【特許文献２】特開２０１３−８４１９９号公報
【発明の概要】
【発明が解決しようとする課題】
【０００４】
しかしながら、上記従来の電力ネットワークシステムでは、以下に示すような問題点を有している。
すなわち、上記公報に開示されたシステムでは、スマートグリッドネットワーク上に接続された複数のユーザによって、共有の蓄電装置を使用することが可能となるが、ユーザによっては、急速充電や大容量放電等の蓄電装置の劣化を促進するような使用をするおそれがある。
【０００５】
この場合、共有の蓄電装置の劣化を早めてしまうユーザ、使用状況等を把握することができないため、配電網上において共有される蓄電装置の所有者は、劣化を早めるような方法で使用するユーザの使用を制限する等の措置を講ずることは困難であった。
本発明の課題は、配電網上で共有される蓄電装置の劣化を促進するような使用をする装置あるいは使用者を特定して蓄電装置の劣化状況を管理することが可能な蓄電装置管理システム、蓄電装置、蓄電装置管理方法および蓄電装置管理プログラムを提供することにある。
【課題を解決するための手段】
【０００６】
第１の発明に係る蓄電装置管理システムは、電力供給を行う配電網に接続された複数の需要家によって使用される蓄電装置の劣化状態を管理する蓄電装置管理システムであって、受信部と、送信元特定部と、記憶部と、劣化度推定部とを備えている。受信部は、蓄電装置に対する充放電指示を行う制御信号を受信する。送信元特定部は、受信部において受信した制御信号を送信した送信装置を特定する。記憶部は、送信元特定部において特定された送信装置に関する装置情報と、送信装置から送信された制御信号によって実施される充放電による蓄電装置の状態変化に関する蓄電装置状態情報とを保存する。劣化度推定部は、装置情報と蓄電装置状態情報とに基づいて、送信装置から送信された制御信号によって充放電制御された蓄電装置の劣化度を推定する。
【０００７】
ここでは、電力供給を行う配電網に接続された複数の需要家によって共有される蓄電装置の劣化状態を管理するために、蓄電装置に対して送信された充放電指示を行う制御信号を受信する。そして、制御信号を送信した送信装置を特定するとともに、制御信号によって実施される充放電による蓄電装置の状態変化を検出して、当該制御信号による充放電の結果、蓄電装置の劣化の程度を推定する。
【０００８】
ここで、劣化度の推定が行われる蓄電装置は、配電網に接続された複数の需要家のうち少なくとも１つの需要家が所有しているものであってもよいし、複数の需要家のそれぞれが所有している蓄電装置であってもよい。
また、送信装置としては、自分が所有する蓄電装置自身でもよいし、他の需要家が所有する蓄電装置でもよいし、他の需要家が所有する蓄電装置以外の各種装置でもよい。
【０００９】
また、充放電による蓄電装置の状態変化としては、例えば、満充電容量の変化、内部抵抗の変化、温度上昇等が含まれる。
さらに、劣化度推定部による劣化度の推定については、制御信号を受信した際にリアルタイムで実施してもよいし、記憶部に保存された過去の使用履歴情報に基づいて実施してもよい。
【００１０】
これにより、特定の送信装置（あるいは使用者）によって送信されてきた制御信号によって蓄電装置が充放電された結果、劣化度が大きいと推定された場合には、その制御信号を送信してきた送信装置（あるいは使用者）を特定することができる。
この結果、配電網上で共有される蓄電装置の劣化を促進するような使用をする送信装置（あるいは使用者）を特定して、蓄電装置の劣化を促進するような使用をする送信装置（あるいは使用者）からの制御信号の受信を制限する等の措置を講じることができる。
よって、蓄電装置が配電網上で共有される場合において、劣化を促進するような使い方をする装置や使用者による使用を制限することで、蓄電装置の寿命短縮を防止することができる。
【００１１】
第２の発明に係る蓄電装置管理システムは、第１の発明に係る蓄電装置管理システムであって、記憶部は、劣化度推定部において推定された蓄電装置の劣化度と、送信元特定部において特定された装置情報とに基づいて、送信装置と、送信装置から送信された制御信号によって実施された充放電に起因する蓄電装置の劣化度とを関連付けた因果関係情報を、さらに保存する。
【００１２】
ここでは、劣化度推定部において推定された蓄電装置の劣化度と、送信元特定部において特定された装置情報とを用いて、送信元となる送信装置とそこから送信された制御信号によって実施された充放電制御による蓄電装置の劣化度とを関連付けした因果関係情報を保存する。
これにより、送信元となる送信装置とそこから送信された制御信号に起因する蓄電装置の劣化の程度とを関連付けした因果関係情報を用いて、蓄電装置が配電網上で共有される場合において、劣化を促進するような使い方をする装置や使用者による使用を制限することで、蓄電装置の寿命短縮を防止することができる。
【００１３】
第３の発明に係る蓄電装置管理システムは、第１または第２の発明に係る蓄電装置管理システムであって、蓄電装置状態情報には、蓄電装置の満充電容量、内部抵抗、温度のうち少なくとも１つに関する情報が含まれる。
ここでは、制御信号に従って実施される充放電によって変化する蓄電装置の状態に関する蓄電装置状態情報として、蓄電装置の満充電容量、内部抵抗、温度のうちいずれか１つの情報を用いる。
これにより、受信した制御信号に従って実施された充放電によって蓄電装置が劣化する程度を、満充電容量の変化、内部抵抗の変化、温度変化等の指標を用いて検出することができる。
【００１４】
第４の発明に係る蓄電装置管理システムは、第３の発明に係る蓄電装置管理システムであって、蓄電装置状態情報は、蓄電装置に設けられた電流センサ、電圧センサ、温度センサの少なくとも１つを用いて取得される。
ここでは、上述した蓄電装置の劣化度を推定するために用いられる満充電容量、内部抵抗、および温度の変化を、電流センサ、電圧センサ、および温度センサを用いて計測する。
これにより、蓄電装置の劣化度の推定を容易に実施することができる。
【００１５】
第５の発明に係る蓄電装置管理システムは、第２の発明に係る蓄電装置管理システムであって、制御信号に基づいて蓄電装置の充放電制御を実施する充放電制御部を、さらに備えている。充放電制御部は、記憶部に保存された因果関係情報に基づいて、推定結果に対応する送信装置から受信した制御信号による充放電制御を行うか否かを判定する。
【００１６】
ここでは、記憶部に保存された因果関係情報において、例えば、受信した制御信号に従って充放電を実施した場合の蓄電装置の劣化度が通常の劣化の程度を超えると判定された場合には、送信元である送信装置から受信した制御信号に従う充放電を実施しない。
これにより、急速充電や大容量放電等のように、蓄電装置の劣化を促進させてしまう使用をする送信元、使用者による蓄電装置の使用を制限することができる。
この結果、配電網上において共有される蓄電装置が特定の使用者によって劣化が促進されてしまうことを回避して、蓄電装置の寿命の短縮を防止することができる。
【００１７】
第６の発明に係る蓄電装置管理システムは、第５の発明に係る蓄電装置管理システムであって、充放電制御部において充放電制御を行わないと判定された送信装置から受信した制御信号および送信装置の所有者に関する情報のうち少なくとも一方を抽出する使用制限対象抽出部を、さらに備えている。
【００１８】
ここでは、劣化度推定部において通常よりも劣化を促進させてしまう充放電制御として使用制限された制御信号の送信元として、送信装置の所有者（使用者）に関する情報、その制御信号に関する情報を抽出する。
これにより、配電網上において共有される蓄電装置の劣化を促進してしまうような制御信号およびそれを送信した使用者を特定することで、使用制限等の措置を講じることができる。
【００１９】
第７の発明に係る蓄電装置管理システムは、第２の発明に係る蓄電装置管理システムであって、劣化度推定部による推定結果および因果関係情報のうちの少なくとも一方を表示部に表示させる表示制御部を、をさらに備えている。
ここでは、劣化度推定部による推定結果および因果関係情報のうちの少なくとも一方を、表示制御部が表示部に表示させる。
これにより、配電網上において共有される蓄電装置の所有者は、表示部に表示された劣化度の推定結果、因果関係情報等を確認して、劣化を促進させてしまうような使用をしている使用者および使用方法を確認することができる。
【００２０】
第８の発明に係る蓄電装置管理システムは、第２の発明に係る蓄電装置管理システムであって、因果関係情報に応じて、制御信号を送信した送信装置の使用者を課金対象として設定する課金設定部を、さらに備えている。
ここでは、因果関係情報に基づいて、例えば、蓄電装置の劣化を促進してしまうような使用をしている使用者を、劣化の程度に応じて課金対象とする。
これにより、配電網上において供給の蓄電装置の所有者は、劣化の促進によって被った損害を課金することによって回収することができる。
【００２１】
第９の発明に係る蓄電装置は、第１から第８の発明のいずれか１つに係る蓄電装置管理システムと、充放電指示に応じて充放電されるセルと、を備えている。
ここでは、上述した蓄電装置管理システムを、セルを含む蓄電装置に搭載している。
これにより、蓄電装置自身が、上述した蓄電装置管理を実行することで、蓄電装置が配電網上で共有される場合において、劣化を促進するような使い方をする装置や使用者による使用を制限することで、蓄電装置の寿命短縮を防止することができる。
【００２２】
第１０の発明に係る蓄電装置管理方法は、電力供給を行う配電網に接続された複数の需要家によって使用される蓄電装置の劣化状態を管理する蓄電装置管理方法であって、受信ステップと、送信元特定ステップと、劣化度推定ステップと、を備えている。受信ステップは、蓄電装置に対する充放電指示を行う制御信号を受信する。送信元特定ステップは、受信ステップにおいて受信した制御信号を送信した送信装置を特定する。劣化度推定ステップは、送信元特定ステップにおいて特定された送信装置に関する装置情報と、送信装置から送信された制御信号によって実施される充放電による蓄電装置の状態変化に関する蓄電装置状態情報とに基づいて、送信装置から送信された制御信号によって充放電制御された蓄電装置の劣化度を推定する。
【００２３】
ここでは、電力供給を行う配電網に接続された複数の需要家によって共有される蓄電装置の劣化状態を管理するために、蓄電装置に対して送信された充放電指示を行う制御信号を受信する。そして、制御信号を送信した送信装置を特定するとともに、制御信号によって実施される充放電による蓄電装置の状態変化を検出して、当該制御信号による充放電の結果、蓄電装置の劣化の程度を推定する。
【００２４】
ここで、劣化度の推定が行われる蓄電装置は、配電網に接続された複数の需要家のうち少なくとも１つの需要家が所有しているものであってもよいし、複数の需要家のそれぞれが所有している蓄電装置であってもよい。
また、送信装置としては、自分が所有する蓄電装置自身でもよいし、他の需要家が所有する蓄電装置でもよいし、他の需要家が所有する蓄電装置以外の各種装置でもよい。
【００２５】
また、充放電による蓄電装置の状態変化としては、例えば、満充電容量の変化、内部抵抗の変化、温度上昇等が含まれる。
さらに、劣化度推定ステップによる劣化度の推定については、制御信号を受信した際にリアルタイムで実施してもよいし、保存された過去の使用履歴情報に基づいて実施してもよい。
【００２６】
これにより、特定の送信装置（あるいは使用者）によって送信されてきた制御信号によって蓄電装置が充放電された結果、劣化度が大きいと推定された場合には、その制御信号を送信してきた送信装置（あるいは使用者）を特定することができる。
この結果、配電網上で共有される蓄電装置の劣化を促進するような使用をする送信装置（あるいは使用者）を特定して、蓄電装置の劣化を促進するような使用をする送信装置（あるいは使用者）からの制御信号の受信を制限する等の措置を講じることができる。
よって、蓄電装置が配電網上で共有される場合において、劣化を促進するような使い方をする装置や使用者による使用を制限することで、蓄電装置の寿命短縮を防止することができる。
【００２７】
第１１の発明に係る蓄電装置管理プログラムは、電力供給を行う配電網に接続された複数の需要家によって使用される蓄電装置の劣化状態を管理する蓄電装置管理プログラムであって、受信ステップと、送信元特定ステップと、劣化度推定ステップと、を備えている蓄電装置管理方法をコンピュータに実行させる。受信ステップは、蓄電装置に対する充放電指示を行う制御信号を受信する。送信元特定ステップは、受信ステップにおいて受信した制御信号を送信した送信装置を特定する。劣化度推定ステップは、送信元特定ステップにおいて特定された送信装置に関する装置情報と、送信装置から送信された制御信号によって実施される充放電による蓄電装置の状態変化に関する蓄電装置状態情報とに基づいて、送信装置から送信された制御信号によって充放電制御された蓄電装置の劣化度を推定する。
【００２８】
ここでは、電力供給を行う配電網に接続された複数の需要家によって共有される蓄電装置の劣化状態を管理するために、蓄電装置に対して送信された充放電指示を行う制御信号を受信する。そして、制御信号を送信した送信装置を特定するとともに、制御信号によって実施される充放電による蓄電装置の状態変化を検出して、当該制御信号による充放電の結果、蓄電装置の劣化の程度を推定する。
【００２９】
ここで、劣化度の推定が行われる蓄電装置は、配電網に接続された複数の需要家のうち少なくとも１つの需要家が所有しているものであってもよいし、複数の需要家のそれぞれが所有している蓄電装置であってもよい。
また、送信装置としては、自分が所有する蓄電装置自身でもよいし、他の需要家が所有する蓄電装置でもよいし、他の需要家が所有する蓄電装置以外の各種装置でもよい。
【００３０】
また、充放電による蓄電装置の状態変化としては、例えば、満充電容量の変化、内部抵抗の変化、温度上昇等が含まれる。
さらに、劣化度推定ステップによる劣化度の推定については、制御信号を受信した際にリアルタイムで実施してもよいし、保存された過去の使用履歴情報に基づいて実施してもよい。
【００３１】
これにより、特定の送信装置（あるいは使用者）によって送信されてきた制御信号によって蓄電装置が充放電された結果、劣化度が大きいと推定された場合には、その制御信号を送信してきた送信装置（あるいは使用者）を特定することができる。
この結果、配電網上で共有される蓄電装置の劣化を促進するような使用をする送信装置（あるいは使用者）を特定して、蓄電装置の劣化を促進するような使用をする送信装置（あるいは使用者）からの制御信号の受信を制限する等の措置を講じることができる。
【００３２】
よって、蓄電装置が配電網上で共有される場合において、劣化を促進するような使い方をする装置や使用者による使用を制限することで、蓄電装置の寿命短縮を防止することができる。
【発明の効果】
【００３３】
本発明に係る蓄電装置管理システムによれば、配電網上で共有される蓄電装置の劣化を促進するような使用をしている装置あるいは使用者を特定して蓄電装置の劣化状況を管理することができる。
【図面の簡単な説明】
【００３４】
【図１】本発明の一実施形態に係る蓄電装置管理システムを含む蓄電装置を所有する需要家を含む複数の需要家が配電網上において接続された構成を示すブロック図。
【図２】図１の需要家Ａが所有する蓄電装置内に構成される蓄電装置管理システムの構成を示すブロック図。
【図３】図２の受信部において受信した充放電制御信号に含まれる送信元装置の情報（ＩＤ）、指示内容(コマンド、パラメータ)を示す図。
【図４】充放電に伴う蓄電装置の温度上昇と満充電容量の減少との関係を示すグラフ。
【図５】図２のセンサにおいて検出された蓄電装置表面の温度、蓄電装置所有者による充放電または外部装置の指示以外の充放電によって上昇すると想定される蓄電装置の温度、充放電前の蓄電装置の温度と時間との関係を示すグラフ。
【図６】外部装置から受信した充放電制御信号に基づいて実施した充放電によって蓄電装置が余計に上昇した温度とそれに対応する満充電容量の減少分との関係を示すグラフ。
【図７】図２の劣化度推定部において過度な劣化を招く使用をした送信元の装置ＩＤ、使用者名、指示内容（コマンド、パラメータ）、および課金金額を示す図。
【図８】図２の蓄電装置管理システムによる蓄電装置管理方法の流れを示すフローチャート。
【図９】図２の蓄電装置管理システムにおいて使用制限の設定を行う際の処理の流れを示すフローチャート。
【図１０】図２の蓄電装置管理システムにおいて課金対象となる使用者に対する課金設定を行う際の処理の流れを示すフローチャート。
【図１１】本発明の他の実施形態に係る蓄電装置管理システムを含む蓄電装置を所有する需要家を含む複数の需要家が配電網上において接続された構成を示すブロック図。
【発明を実施するための形態】
【００３５】
本発明の一実施形態に係る蓄電装置管理システムについて、図１〜図１０を用いて説明すれば以下の通りである。
ここで、以下の説明において登場する需要家Ａ２０は、発電装置（ソーラーパネル２１）と蓄電装置２３とを所有しており、配電網５１上において共有される蓄電装置を所有する需要家を意味している。また、需要家Ｂ３０は、発電装置（ソーラーパネル３１）と蓄電装置３３とを所有しており、配電網５１上において共有可能な蓄電装置を所有する需要家を意味している。そして、需要家Ｃ４０は、需要家Ａ２０，Ｂ３０と同じ配電網５１に接続されており、発電装置と蓄電装置とを所有しない需要家を意味している。
【００３６】
なお、需要家Ａ２０，Ｂ３０は、他の需要家によって共有される蓄電装置２３，３３が所定時間ごとに入れ替わってもよい。
また、需要家とは、例えば、電力会社と契約を結んでおり、電力会社から系統５０（図１参照）を介して供給される電力を使用する個人、法人、団体等であって、例えば、一般家庭（戸建て、マンション）、企業（事業所、工場、設備等）、地方自治体、国の機関等が含まれる。なお、需要家には、自家発電によって電力をまかなう需要家、ＺＥＢ（Zero Energy Building）を実現した需要家も含まれる。
【００３７】
また、以下の実施形態において、系統５０（図１参照）とは、電力会社から供給される電力を配電網５１によって各需要家に対して供給する電力系統を意味している。
そして、以下の実施形態において、スマートメータ２７，３７，４７（図１参照）とは、各需要家にそれぞれ設置され、発電量、蓄電量、消費電力量を計測し、通信機能を用いて、計測結果を電力会社等へ送信する計測機器を意味している。スマートメータ２７，３７，４７を設置したことにより、電力会社は、各需要家Ａ２０，Ｂ３０，Ｃ４０におけるリアルタイムの電力状況を正確に把握できるとともに、所定期間ごとに実施される検針業務を自動化することができる。
【００３８】
さらに、以下の実施形態において、負荷２４，３４，４４（図１参照）とは、例えば、需要家が一般家庭の場合には、エアコン、冷蔵庫、電力レンジ、ＩＨクッキングヒータ、テレビ等の電力消費体を意味している。また、例えば、需要家が企業（工場等）の場合には、工場内に設置された各種設備、空調設備等の電力消費体を意味している。
さらに、以下の実施形態において、ＥＭＳ（Energy Management System）２６，３６（図１参照）とは、需要家Ａ２０，Ｂ３０にそれぞれ設置されており、需要家Ａ２０，Ｂ３０における消費電力量を削減するために設けられたシステムを意味している。
【００３９】
（実施形態１）
本実施形態に係る蓄電装置管理システム１０は、電力供給を行う配電網に接続された複数の需要家によって使用される共有の蓄電装置の劣化状態を管理するシステムである。
具体的には、蓄電装置管理システム１０は、図１に示すように、需要家Ａ２０が所有する蓄電装置２３が、配電網５１上において、他の需要家Ｂ３０および需要家Ｃ４０から使用可能な状態で共有される際に、不適切な使用によって過度に劣化させないようにするために設けられている。
なお、図１に示す各需要家Ａ２０，Ｂ３０，Ｃ４０内の実線は、データ等の情報の流れを示しており、一点鎖線は電気の流れを示している。
また、本実施形態の蓄電装置管理システム１０の構成については、後段にて詳述する。
【００４０】
（需要家Ａ）
本実施形態では、需要家Ａ２０は、図１に示すように、電力会社から供給される電力を供給する系統５０に接続されている。そして、需要家Ａ２０は、後述する需要家Ｂ３０，Ｃ４０と同じ配電網５１を介して系統５０に接続されている。
【００４１】
需要家Ａ２０は、後述する蓄電装置２３内に設けられた蓄電装置管理システム１０において、他の需要家Ｃ４０から蓄電装置２３を共有で使用される際に、需要家Ｃ４０等から送信されてきた蓄電装置２３の充放電制御が適切な使用であるか否かを判定する。そして、劣化を促進してしまう不適切な使用をする他の需要家Ｃ４０等については、その使用を制限する、課金対象とする等の措置を講ずる。
【００４２】
需要家Ａ２０は、図１に示すように、ソーラーパネル（発電装置）２１、太陽光発電用電力変換装置（ＰＣＳ）２２、発電電力用電力センサ２２ａ、蓄電装置（蓄電池）２３、蓄電電力用電力センサ２３ａ、負荷２４、負荷用電力センサ２４ａ、分電盤２５、ＥＭＳ（Energy Management System）２６、およびスマートメータ２７を備えている。
ソーラーパネル２１は、太陽光の光エネルギーを用いた光起電力効果を利用して電気を発生させる装置であって、需要家Ａ２０の屋根等に設置されている。そして、ソーラーパネル２１における発電量は、天気予報の日照時間に関する情報に基づいて予測することができる。
【００４３】
太陽光発電用電力変換装置（ＰＣＳ（Power Conditioning System））２２は、図１に示すように、ソーラーパネル２１と接続されており、ソーラーパネル２１において発生した直流電流を交流電流に変換する。
発電電力用電力センサ２２ａは、図１に示すように、太陽光発電用電力変換装置２２に接続されており、ソーラーパネル２１において発電した電力量を測定する。そして、発電電力用電力センサ２２ａは、ＥＭＳ２６に対して測定結果（発電量）を送信する。
【００４４】
蓄電装置（蓄電池）２３は、ソーラーパネル２１において発電した電力のうち、負荷２４によって消費しきれなかった余剰電力を一時的に蓄えるために設けられている。これにより、ソーラーパネル２１によって発電する日中の時間帯において、負荷２４による消費電力量が少ない場合でも、余った電力を蓄電装置２３へ蓄えておくことで、発電した電力を捨ててしまう無駄を排除できる。
【００４５】
本実施形態では、蓄電装置２３は、同じ配電網５１に接続された複数の需要家Ａ２０，Ｂ３０，Ｃ４０によって共有される蓄電装置として使用される。
なお、蓄電装置２３内に設けられた蓄電装置管理システム１０については、後段にて詳述する。
蓄電電力用電力センサ２３ａは、図１に示すように、蓄電装置２３に接続されており、蓄電装置２３において蓄えられている電力量を測定する。そして、蓄電電力用電力センサ２３ａは、ＥＭＳ２６に対して測定結果（蓄電量）を送信する。
【００４６】
負荷２４は、上述したように、一般家庭におけるエアコンや冷蔵庫等の家電製品、工場等における設備、空調装置等の電力消費体であって、系統５０から供給される電力、ソーラーパネル２１によって発生した電力、蓄電装置２３において蓄えられた電力を消費する。
負荷用電力センサ２４ａは、図１に示すように、負荷２４に接続されており、負荷２４によって消費される電力量を測定する。そして、負荷用電力センサ２４ａは、ＥＭＳ２６に対して測定結果（消費電力量）を送信する。
【００４７】
分電盤２５は、図１に示すように、発電電力用電力センサ２２ａ、蓄電電力用電力センサ２３ａ、負荷用電力センサ２４ａ、およびスマートメータ２７と接続されている。そして、分電盤２５は、ソーラーパネル２１において発電した電力、蓄電装置２３に蓄えられた電力を、負荷２４に対して供給する。さらに、分電盤２５は、時間帯によって発生した余剰電力を、スマートメータ２７を介して系統５０へと供給する。これにより、需要家Ａ２０は、電力会社に余剰電力を売電することができる。
【００４８】
ＥＭＳ（Energy Management System）２６は、上述したように、需要家Ａ２０における消費電力量を削減するために設けられたエネルギー管理システムであって、図１に示すように、各センサ２２ａ，２３ａ，２４ａと接続されている。また、ＥＭＳ２６は、各センサ２２ａ，２３ａ，２４ａから受信した検出結果を用いて、ソーラーパネル２１による発電電力、蓄電装置２３における蓄電量を効率よく負荷２４に対して供給する。これにより、系統５０から供給される電力の消費量を抑制して、需要家Ａ２０における電力コストを効果的に削減することができる。
【００４９】
スマートメータ２７は、上述したように、需要家Ａ２０が所有するソーラーパネル２１の発電量、蓄電装置２３の蓄電量、および負荷２４の消費電力量を計測する。そして、スマートメータ２７は、図１に示すように、分電盤２５を介して各センサ２２ａ，２３ａ，２４ａと接続されている。さらに、スマートメータ２７は、通信機能を有している。これにより、スマートメータ２７は、他の需要家Ｂ３０，Ｃ４０から、配電網５１上において共有される蓄電装置２３の充放電制御信号を受信する。
【００５０】
（需要家Ｂ）
本実施形態では、需要家Ｂ３０は、図１に示すように、需要家Ａ２０と同様に、配電網５１を介して、系統５０に接続されている。
なお、本実施形態では、需要家Ｂ３０は、蓄電装置３３を所有しているが、他の需要家Ｃ４０等から共有される蓄電装置として説明されていない。しかし、需要家Ｂ３０が所有している蓄電装置３３についても、需要家Ａ２０が所有する蓄電装置２３と同様に、他の需要家から共有されてもよい。
【００５１】
需要家Ｂ３０は、図１に示すように、ソーラーパネル（発電装置）３１、太陽光発電用電力変換装置（ＰＣＳ）３２、発電電力用電力センサ３２ａ、蓄電装置（蓄電池）３３、蓄電電力用電力センサ３３ａ、負荷３４、負荷用電力センサ３４ａ、分電盤３５、ＥＭＳ（Energy Management System）３６、およびスマートメータ３７を備えている。
ソーラーパネル３１は、太陽光の光エネルギーを用いた光起電力効果を利用して電気を発生させる装置であって、需要家Ｂ３０の屋根等に設置されている。そして、ソーラーパネル３１における発電量は、天気予報の日照時間に関する情報に基づいて予測することができる。
【００５２】
太陽光発電用電力変換装置（ＰＣＳ（Power Conditioning System））３２は、図１に示すように、ソーラーパネル３１と接続されており、ソーラーパネル３１において発生した直流電流を交流電流に変換する。
発電電力用電力センサ３２ａは、図１に示すように、太陽光発電用電力変換装置３２に接続されており、ソーラーパネル３１において発電した電力量を測定する。そして、発電電力用電力センサ３２ａは、ＥＭＳ３６に対して測定結果（発電量）を送信する。
【００５３】
蓄電装置（蓄電池）３３は、ソーラーパネル３１において発電した電力のうち、負荷３４によって消費しきれなかった余剰電力を一時的に蓄えるために設けられている。これにより、ソーラーパネル３１によって発電する日中の時間帯において、負荷３４による消費電力量が少ない場合でも、余った電力を蓄電装置３３へ蓄えておくことで、発電した電力を捨ててしまう無駄を排除できる。
【００５４】
蓄電電力用電力センサ３３ａは、図１に示すように、蓄電装置３３に接続されており、蓄電装置３３において蓄えられている電力量を測定する。そして、蓄電電力用電力センサ３３ａは、ＥＭＳ３６に対して測定結果（蓄電量）を送信する。
負荷３４は、上述したように、一般家庭におけるエアコンや冷蔵庫等の家電製品、工場等における設備、空調装置等の電力消費体であって、系統５０から供給される電力、ソーラーパネル３１によって発生した電力、蓄電装置３３において蓄えられた電力を消費する。
【００５５】
負荷用電力センサ３４ａは、図１に示すように、負荷３４に接続されており、負荷３４によって消費される電力量を測定する。そして、負荷用電力センサ３４ａは、ＥＭＳ３６に対して測定結果（消費電力量）を送信する。
分電盤３５は、図１に示すように、発電電力用電力センサ３２ａ、蓄電電力用電力センサ３３ａ、負荷用電力センサ３４ａ、およびスマートメータ３７と接続されている。そして、分電盤３５は、ソーラーパネル３１において発電した電力、蓄電装置３３に蓄えられた電力を、負荷３４に対して供給する。さらに、分電盤３５は、時間帯によって発生した余剰電力を、スマートメータ３７を介して系統５０へと供給する。これにより、需要家Ｂ３０は、電力会社に余剰電力を売電することができる。
【００５６】
ＥＭＳ（Energy Management System）３６は、上述したように、需要家Ｂ３０における消費電力量を削減するために設けられたエネルギー管理システムであって、図１に示すように、各センサ３２ａ，３３ａ，３４ａと接続されている。また、ＥＭＳ３６は、各センサ３２ａ，３３ａ，３４ａから受信した検出結果を用いて、ソーラーパネル３１による発電電力、蓄電装置３３における蓄電量を効率よく負荷３４に対して供給する。これにより、系統５０から供給される電力の消費量を抑制して、需要家Ｂ３０における電力コストを効果的に削減することができる。
【００５７】
スマートメータ３７は、上述したように、需要家Ｂ３０が所有するソーラーパネル３１の発電量、蓄電装置３３の蓄電量、および負荷３４の消費電力量を計測する。そして、スマートメータ３７は、図１に示すように、分電盤３５を介して各センサ３２ａ，３３ａ，３４ａと接続されている。さらに、スマートメータ３７は、通信機能を有している。
【００５８】
（需要家Ｃ）
本実施形態では、需要家Ｃ４０は、図１に示すように、需要家Ａ２０，Ｂ３０と同じ配電網５１を介して、系統５０に接続されている。
本実施形態では、需要家Ｃ４０は、上述した需要家Ａ２０，Ｂ３０とは異なり、発電装置や蓄電装置を所有していない。このため、需要家Ｃ４０は、例えば、系統５０から供給される電力の料金が高い時間帯等に、共有の蓄電装置２３に蓄えられた電力を使用するために、蓄電装置２３に対して充放電制御信号を送信する。
需要家Ｃ４０は、図１に示すように、負荷４４、負荷用電力センサ４４ａ、分電盤４５、およびスマートメータ４７を備えている。
【００５９】
スマートメータ４７は、上述したように、他の需要家Ａ２０等から供給される電力量、あるいは負荷４４の消費電力量を計測する。そして、スマートメータ４７は、図１に示すように、分電盤４５を介して複数の負荷４４と接続されている。さらに、スマートメータ４７は、通信機能を有している。
これにより、スマートメータ４７は、配電網５１上において共有される需要家Ａ２０が所有する蓄電装置２３に対して、充放電制御信号を送信することができる。
【００６０】
（蓄電装置管理システム１０の構成）
本実施形態の蓄電装置管理システム１０は、図２に示すように、配電網５１上において複数の需要家Ａ２０，Ｂ３０，Ｃ４０によって共有される蓄電装置２３内に設けられている。そして、蓄電装置管理システム１０は、外部装置４０ａ（例えば、需要家Ｃ４０が所有するスマートメータ４７等）から、共有の蓄電装置２３を充放電するための制御信号を受信する。
【００６１】
より具体的には、蓄電装置管理システム１０は、図２に示すように、受信部１１、送信元特定部１２、装置情報記憶部１３ａ、蓄電装置状態記憶部１３ｂ、制御内容記憶部１３ｃ、充放電制御部１４、劣化度推定部１５、使用制限対象抽出部１６、課金設定部１７、表示制御部１８、および表示部１９を備えている。
受信部１１は、スマートメータ２７，４７を介して、需要家Ｃ４０（使用者）から送信された充放電制御信号を受信する。本実施形態では、受信部１１において受信される充放電制御信号は、配電網５１上において複数の需要家A２０，Ｂ３０，Ｃ４０等によって共有される蓄電装置２３を使用（充電・放電）するための信号である。
【００６２】
送信元特定部１２は、受信部１１において受信した充放電制御信号に含まれる送信元の情報に基づいて、充放電制御信号の送信元、つまり蓄電装置２３を使用するための信号を送信してきた装置（あるいは使用者）を特定する。
なお、ここで特定される送信元の装置は、図３に示すように、送信元装置ＩＤ０００１等のＩＤを用いて特定される。また、送信元の装置の特定は、装置情報記憶部１３ａに予め保存されているＩＤと装置名とを関連付けした情報に基づいて行われる。
【００６３】
装置情報記憶部１３ａは、送信元特定部１２において特定された充放電制御信号の送信元となる装置の情報を保存する。
本実施形態では、送信元の装置として、需要家Ｃ４０が所有するスマートメータ４７、あるいは使用者としての需要家Ｃ４０が特定される。
蓄電装置状態記憶部１３ｂは、受信部１１において受信した充放電制御信号に基づいて充放電制御された蓄電装置２３の状態変化に関する情報を保存する。充放電制御された際の蓄電装置２３の状態変化としては、例えば、満充電容量の変化、内部抵抗値の変化、電池温度の変化等が含まれる。
【００６４】
また、蓄電装置２３の状態変化は、図２に示すように、蓄電装置２３のセル２３ｃａ，２３ｃｂ，２３ｃｃにそれぞれ設けられたセンサ２３ｂａ，２３ｂｂ，２３ｂｃによって検出される。
センサ２３ｂａ，２３ｂｂ，２３ｂｃは、例えば、電流センサ、電圧センサ、温度センサの少なくとも１つであって、蓄電装置２３を構成するセル２３ｃａ，２３ｃｂ，２３ｃｃの電流値、電圧値、温度等を測定する。
【００６５】
制御内容記憶部１３ｃは、受信部１１において受信した充放電制御信号に基づいて蓄電装置２３を充放電制御する際の制御内容に関する情報を保存する。制御内容としては、図３に示すように、充放電制御のコマンド、パラメータ等が含まれる。
具体的には、制御内容記憶部１３ｃには、図３に示すように、充放電制御信号の送信元の装置を示す送信元装置ＩＤ、充放電制御信号を受信する装置を示す送信先装置ＩＤ、制御内容を示すコマンド、パラメータが保存される。
【００６６】
制御内容を示すコマンドには、充電（Charging Current）、放電（Discharging Current）が含まれる。また、パラメータには、充放電の電流値と時間に関する情報が含まれる。
また、制御内容記憶部１３ｃは、劣化度推定部１５において推定された蓄電装置２３の劣化度と、送信元特定部１２において特定された装置情報とを用いて、送信元となる装置とそこから送信された制御信号によって実施された充放電制御による蓄電装置２３の劣化度とを関連付けした因果関係情報を保存する。
【００６７】
充放電制御部１４は、受信部１１において受信した充放電制御信号に基づいて、蓄電装置２３（セル２３ｃａ，２３ｃｂ，２３ｃｃ）からの放電制御、あるいは充電制御を行う。
劣化度推定部１５は、受信部１１において受信した充放電制御信号に基づいて蓄電装置２３を充放電した際における蓄電装置２３の劣化度を推定する。
【００６８】
具体的には、蓄電装置２３の劣化度の推定は、センサ２３ｂａ，２３ｂｂ，２３ｂｃを用いて、蓄電装置２３を構成するセル２３ｃａ，２３ｃｂ，２３ｃｃの電流値、電圧値、温度等を測定することで実施される。
本実施形態では、蓄電装置２３の劣化度は、センサ２３ｂａ，２３ｂｂ，２３ｂｃにおいて測定されるセル２３ｃａ，２３ｃｂ，２３ｃｃの電流値、電圧値、温度等を用いて、蓄電装置２３の満充電容量の減少分を推定することによって行われる。
【００６９】
ここで、蓄電装置２３の満充電容量は、温度と強い相関があることが知られている。よって、本実施形態では、受信した充放電制御信号に基づく充放電制御の結果、上昇した蓄電装置２３の温度変化を検出し、その変化温度に対応する満充電容量の減少分を劣化度として推定する。
具体的には、図４に示すように、蓄電装置２３の平均温度が上昇すると、１時間当たりの蓄電装置２３の減少容量が増加していく。つまり、蓄電装置２３は、温度が上昇すると、容量が減少していく。
【００７０】
すなわち、例えば、蓄電装置２３を使用する使用者が、通常の使用（充電または放電）をした場合には、図５に示すように、装置内温度３０℃から３３℃まで上昇するとする。この場合、例えば、受信部１１において受信した充放電制御の結果、蓄電装置２３を構成するセル２３ｃａ，２３ｃｂ，２３ｃｃの平均温度が３７℃まで上昇したとすると、その充放電制御信号に基づく使用によって、余計に４℃の温度上昇があったことが分かる。
【００７１】
なお、通常使用時における蓄電装置２３の温度上昇に関するデータについては、予め蓄電装置状態記憶部１３ｂ等に保存されていればよい。
本実施形態の蓄電装置管理システム１０では、急速充電や大容量放電等の不適切な使用によって通常使用時よりも余計に温度上昇させた分を、蓄電装置２３の劣化度を促進させた不適切な使用として、その劣化度を推定する。
【００７２】
ここで、蓄電装置所有者による充放電または外部装置の指示以外の充放電を実施した際のセル２３ｃａ，２３ｃｂ，２３ｃｃの温度は、蓄電装置状態記憶部１３ｂに保存されている。充放電開始から終了までの間に、蓄電装置２３内への外気温度の影響が無いとした場合には、充放電したセル２３ｃａ，２３ｃｂ，２３ｃｃの発熱による温度上昇がセル２３ｃａ，２３ｃｂ，２３ｃｃの温度上昇の主要因と考えられる。
【００７３】
そこで、以下の関係式（１）に示すように、充放電時におけるセル２３ｃａ，２３ｃｂ，２３ｃｃの内部抵抗による発熱量を計算する。
発熱量(Ｗ)＝電流（Ａ）×電流（Ａ）×内部抵抗(Ω)  ・・・（１）
【００７４】
そして、以下の関係式（２）に示すように、セル２３ｃａ，２３ｃｂ，２３ｃｃの表面積と熱伝達率から、発熱による温度上昇を推定する。
上昇温度（Ｋ）＝発熱量（Ｗ）／(熱伝達率（Ｗ/ｍ2・Ｋ）＊表面積（ｍ2）)  ・・・（２）
関係式（２）によって求められた通常使用時よりも余計に上昇した温度（４℃）は、図５のように表される。そして、３３℃から３７℃への温度上昇による蓄電装置２３の劣化に伴う満充電容量の減少の関係は、図６に示すグラフとして表される。これにより、受信した充放電制御信号による使用による蓄電装置２３の劣化度を推定することができる。
【００７５】
つまり、図５に示すグラフでは、通常使用時における温度３３℃と実際にセンサ２３ｂａ，２３ｂｂ，２３ｂｃによって測定されたセル２３ｃａ，２３ｃｂ，２３ｃｃの温度３７℃との差である４℃が、余計に上昇した温度として検出される。
そして、劣化度推定部１５は、通常使用時における上昇後の平均温度３３℃と、受信部１１において受信した充放電制御信号に基づく充放電制御によって上昇した平均温度３７℃との差４℃に対応する１時間当たりの減少容量を、図６に示すグラフを用いて算出する。
【００７６】
なお、図６に示す蓄電装置２３の平均温度と１時間当たりの減少容量との関係を示すグラフについても、蓄電装置状態記憶部１３ｂ等に保存されていればよい。
これにより、劣化度推定部１５は、通常使用時における温度上昇よりも余計に上昇した温度に対応する１時間当たりの減少容量を求めることで、満充電容量の減少という指標を用いて蓄電装置２３の劣化度を推定することができる。
【００７７】
使用制限対象抽出部１６は、劣化度推定部１５において推定された蓄電装置２３の劣化度が所定の閾値を超えると判定した場合に、その劣化を促す使用を指示した充放電制御信号の送信元の装置、あるいは使用者に関する情報を抽出する。そして、使用制限対象抽出部１６は、抽出された送信元の装置あるいは使用者について、次回以降の使用を制限するように、送信元の装置等の情報を装置情報記憶部１３ａに保存する。
【００７８】
具体的には、図７に示すように、送信元装置ＩＤとともに、劣化を促進させたと推定される使用者として、需要家Ｂ，Ｃ，Ｄ、その使用方法（制御内容）についての情報を抽出する。そして、例えば、操作元装置ＩＤがＩＤ０１５に対応する使用者（需要家Ｃ）による使用が制限されるように、装置情報記憶部１３ａに使用制限情報として保存される。
これにより、不適切な使用によって共有の蓄電装置２３の劣化を促進してしまうような使用をした装置あるいは使用者（図７では、需要家Ｃ）に対して、次回以降の使用を制限することで、共有の蓄電装置２３の劣化が進んでしまうことを回避することができる。
【００７９】
課金設定部１７は、蓄電装置２３の劣化を促す使用を指示した充放電制御信号の送信元の装置、あるいは使用者に対して、劣化度の程度に応じた課金を設定する。具体的には、図７に示すように、操作元装置ＩＤ、使用者名（需要家Ｂ，Ｃ，Ｄ等）、使用方法（制御内容）に対応する課金の金額を設定する。
表示制御部１８は、劣化度推定部１５における推定結果、使用制限対象となる送信元の装置、使用者、使用方法（制御内容）等の情報を表示部１９に表示させる。
【００８０】
表示部１９は、例えば、液晶表示パネル等であって、需要家Ａ２０が所有する共有の蓄電装置２３に設けられている。そして、表示部１９は、表示制御部１８によって、劣化度推定部１５における推定結果、使用制限対象となる送信元の装置、使用者、使用方法（制御内容）等の情報が表示されるように制御される。
【００８１】
＜蓄電装置管理方法＞
本実施形態の蓄電装置管理システム１０では、以上のような構成を用いて、図８に示すフローチャートに従って、需要家Ａ２０が所有する共有の蓄電装置２３について、蓄電装置管理方法を実行する。
すなわち、ステップＳ１１では、需要家Ａ２０の蓄電装置２３内に設けられた蓄電装置管理システム１０の受信部１１において、外部装置４０ａ（例えば、需要家Ｃ４０のスマートメータ４７）から送信された蓄電装置２３を使用するための充放電制御信号が受信される。
次に、ステップＳ１２では、蓄電装置管理システム１０の送信元特定部１２において、受信部１１において受信した充放電制御信号に含まれる送信元の装置の情報（装置ＩＤ等）に基づいて、送信元の装置が特定され、その情報が装置情報記憶部１３ａに保存される。
【００８２】
次に、ステップＳ１３では、充放電制御信号に基づいて実施される使用（充放電）時に、充放電装置（図示せず）から蓄電装置２３に入出力される電流値が、蓄電装置管理システム１０の制御内容記憶部１３ｃに保存される。
次に、ステップＳ１４では、蓄電装置管理システム１０の蓄電装置状態記憶部１３ｂに、充放電制御信号に基づく蓄電装置２３の充放電制御を実施した際の蓄電装置２３の状態変化（電流、電圧、温度、満充電容量等）が保存される。
【００８３】
次に、ステップＳ１５では、蓄電装置管理システム１０の劣化度推定部１５において、蓄電装置２３の状態変化に基づいて劣化度を推定する。
具体的には、上述したように、図６に示すように、充放電制御信号に基づく使用によって通常使用時よりも上昇した温度の分に対応する減少容量を算出して、蓄電装置２３の満充電容量の減少分を劣化度として求める。
【００８４】
次に、ステップＳ１６では、蓄電装置管理システム１０の装置情報記憶部１３ａに、充放電制御信号の送信元（外部装置、使用者）、推定された蓄電装置２３の劣化度、その使用方法（制御内容）に関する情報が保存される。
次に、ステップＳ１７では、蓄電装置管理システム１０の表示制御部１８が、充放電制御信号の送信元（外部装置、使用者）、推定された蓄電装置２３の劣化度、その使用方法（制御内容）の情報を表示するように表示部１９を制御する。
【００８５】
これにより、配電網５１上において共有される蓄電装置２３の所有者である需要家Ａ２０は、蓄電装置２３の表示部１９に表示された内容を見て、自分を含む複数の需要家Ａ２０，Ｂ３０，Ｃ４０によって使用される蓄電装置２３の劣化情報を確認することができる。
また、本実施形態の蓄電装置管理システム１０では、以上のような構成を用いて、図９に示すフローチャートに従って、蓄電装置２３の劣化を促進させるような不適切な使用者を抽出して、使用制限を設定する。
【００８６】
すなわち、ステップＳ２１では、劣化度推定部１５において算出された蓄電装置２３の劣化度の推定値（推定結果）が、所定の閾値以上であるか否かを判定する。ここで、推定値が閾値より小さい場合には、不適切な使用ではないと判定して、処理を終了する。一方、推定値が閾値以上である場合には、ステップＳ２２へ進む。
次に、ステップＳ２２では、使用制限対象抽出部１６において、劣化度の推定値が閾値以上と判定されたため、その不適切な使用を指示した充放電制御信号の送信元である装置ＩＤ、その装置の使用者名（需要家Ｂ，Ｃ等）、連絡先等の情報が抽出される。
【００８７】
次に、ステップＳ２３では、使用制限対象抽出部１６において抽出された装置ＩＤ、使用者について、その使用を制限するような設定がなされる。
次に、ステップＳ２４では、使用制限の対象となった不適切な使用をした装置および使用者が、表示部１９に表示される。
これにより、配電網５１上において共有される蓄電装置２３の所有者である需要家Ａ２０は、蓄電装置２３の表示部１９に表示された内容を見て、不適切な使用をした使用者等の情報を確認することができる。
【００８８】
さらに、本実施形態の蓄電装置管理システム１０では、以上のような構成を用いて、図１０に示すフローチャートに従って、蓄電装置２３の劣化を促進させるような不適切な使用者を抽出して、課金対象として設定する。
すなわち、ステップＳ３１では、上述したステップＳ２１と同様に、劣化度推定部１５において算出された蓄電装置２３の劣化度の推定値（推定結果）が、所定の閾値以上であるか否かを判定する。ここで、推定値が閾値より小さい場合には、不適切な使用ではないと判定して、処理を終了する。一方、推定値が閾値以上である場合には、ステップＳ３２へ進む。
【００８９】
次に、ステップＳ３２では、使用制限対象抽出部１６において、劣化度の推定値が閾値以上と判定されたため、その不適切な使用を指示した充放電制御信号の送信元である装置ＩＤ、その装置の使用者名（需要家Ｂ，Ｃ等）、連絡先等の情報が抽出される。
次に、ステップＳ３３では、不適切な使用を指示した装置あるいは使用者を、蓄電装置２３の劣化を促進させた損害を賠償してもらうために、課金対象として設定する。
【００９０】
次に、ステップＳ３４では、課金設定部１７において、課金対象として設定された使用者等について、劣化の程度（例えば、満充電容量の減少等）に対応する課金の金額が設定される。
具体的には、図７に示すように、操作元装置ＩＤ００１５の需要家Ｃ４０が、放電（Discharge Current）制御した１つ目の使用方法（４Ａで２００分の放電）と、２つ目の使用方法（１０Ａで３００分の放電）とが課金対象として設定される。
【００９１】
設定金額は、図７に示すように、１つ目の使用方法（４Ａで２００分の放電）に対しては、￥５，０００が設定される。そして、２つ目の使用方法（１０Ａで３００分の放電）に対しては、１つ目の使用方法よりも蓄電装置２３に与える負荷が大きく劣化度も大きいため、￥１５，０００が設定される。
次に、ステップＳ３５では、表示部１９において、課金対象となった使用者、使用方法（制御内容）、課金金額等の情報が表示される。
【００９２】
これにより、配電網５１上において共有される蓄電装置２３の所有者である需要家Ａ２０は、蓄電装置２３の表示部１９に表示された内容を見て、不適切な使用をした使用者に対する課金情報を確認することができる。
【００９３】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明に係る蓄電装置管理方法として、図８、図９および図１０に示すフローチャートに従って、蓄電装置の充放電制御時における劣化度の推定を行う例を挙げて説明した。しかし、本発明はこれに限定されるものではない。
例えば、図８、図９および図１０に示すフローチャートに従って実施される蓄電装置管理方法をコンピュータに実行させる蓄電装置管理プログラムとして、本発明を実現してもよい。
また、この蓄電装置管理プログラムを格納した記録媒体として、本発明を実現してもよい。
【００９４】
（Ｂ）
上記実施形態では、図１に示すように、配電網５１を介して互いに接続された複数の需要家のうち、２つの需要家Ａ２０，Ｂ３０が蓄電装置２３，３３を所有しており、需要家Ｃ４０が蓄電装置を所有していない例を挙げて説明した。しかし、本発明はこれに限定されるものではない。
【００９５】
例えば、図１１に示すように、配電網５１を介して互いに接続された複数の需要家のうち、１つの需要家Ａ２０のみが蓄電装置２３を所有しており、複数の需要家Ｂ１３０，Ｃ４０がこの蓄電装置２３を共有するシステムであってもよい。
また、同じ配電網に接続される需要家の数は、図１に示す３つに限らず、４つ以上であってもよいし、２つであってもよい。
【００９６】
（Ｃ）
上記実施形態では、蓄電装置等の設備を所有していない需要家Ｃ４０が、需要家Ａ２０が所有している蓄電装置２３を配電網５１上において共有される蓄電装置として活用する際の劣化度の推定を行う例を挙げて説明した。しかし、本発明はこれに限定されるものではない。
【００９７】
例えば、蓄電装置３３を所有している需要家Ｂ３０が、蓄電装置３３の故障等によって、需要家Ａ２０が所有している蓄電装置２３を配電網５１上において共有される蓄電装置として活用する際に劣化度の推定を行ってもよい。
逆に、需要家Ａ２０あるいは需要家Ｃ４０が、需要家Ｂ３０が所有する蓄電装置３３を、配電網５１上において共有される蓄電装置として活用する際に劣化度の推定を行ってもよい。
さらに、需要家Ｃ４０が、需要家Ａ２０および需要家Ｂ３０が所有する蓄電装置２３，３３の両方を、配電網５１上において共有される蓄電装置として活用する際に、それぞれの蓄電装置２３，３３において劣化度の推定を行ってもよい。
【００９８】
（Ｄ）
上記実施形態では、本発明の蓄電装置管理システム１０が、需要家Ａ２０が所有する蓄電装置２３内に設けられた例を挙げて説明した。しかし、本発明はこれに限定されるものではない。
本発明において、蓄電装置管理システムは、蓄電装置内に設けられていることは必須ではなく、例えば、蓄電装置と外部装置との間に設けられていてもよい。
この場合には、外部装置から蓄電装置に対して送信された制御信号を受信して、その制御信号に従って充放電を実施した場合における蓄電装置の劣化度を推定すればよい。
【００９９】
（Ｅ）
上記実施形態では、外部装置４０ａとして、他の需要家Ｃ４０が所有するスマートメータ４７等の装置を例として挙げて説明した。しかし、本発明はこれに限定されるものではない。
例えば、外部装置としては、他の需要家が所有するスマートメータ等の装置に限らず、他の需要家が所有する蓄電装置や負荷（電力消費体）等の外部装置であってもよい。
【０１００】
（Ｆ）
上記実施形態では、外部装置４０ａから受信した制御信号に従って蓄電装置２３の充放電が行われる例を挙げて説明した。しかし、本発明はこれに限定されるものではない。
例えば、需要家Ａ２０において、蓄電装置２３自身に入力された制御信号を受信して、充放電による劣化の推定が行われてもよい。
この場合には、蓄電装置２３の所有者である需要家Ａ２０の使用による蓄電装置２３の劣化への影響を検出することができる。
【０１０１】
（Ｇ）
上記実施形態では、記憶部として、装置情報記憶部１３ａ、蓄電装置状態記憶部１３ｂ、および制御内容記憶部１３ｃとが蓄電装置２３内に設けられた構成を例として挙げて説明した。しかし、本発明はこれに限定されるものではない。
例えば、装置ＩＤ、蓄電装置の状態、制御内容を記憶する記憶部を１つの記憶部としてもよい。
【０１０２】
（Ｈ）
上記実施形態では、蓄電装置２３が表示部１９を備えている構成を例として挙げて説明した。しかし、本発明はこれに限定されるものではない。
【０１０３】
例えば、表示部としては、ＰＣ（Personal Computer）の画面等のように、外部装置の表示画面を用いてもよい。
この場合には、蓄電装置管理システム１０が備えている表示制御部１８によって、あるいはＰＣ側の表示制御部に表示情報を送信することで、ＰＣ画面等の表示を制御することができる。
【産業上の利用可能性】
【０１０４】
本発明の蓄電装置管理システムは、配電網上で共有される蓄電装置の劣化を促進するような使用をしている装置あるいは使用者を特定して蓄電装置の劣化状況を管理することができるという効果を奏することから、共有の蓄電装置を使用する各種システムにおいて広く適用可能である。
【符号の説明】
【０１０５】
１０      蓄電装置管理システム
１１      受信部
１２      送信元特定部
１３ａ    装置情報記憶部（記憶部）
１３ｂ    蓄電装置状態記憶部（記憶部）
１３ｃ    制御内容記憶部（記憶部）
１４      充放電制御部
１５      劣化度推定部
１６      使用制限対象抽出部
１７      課金設定部
１８      表示制御部
１９      表示部
２０      需要家Ａ
２１      ソーラーパネル
２２      太陽光発電用電力変換装置（ＰＣＳ）
２２ａ    発電電力用電力センサ
２３      蓄電装置
２３ａ    蓄電電力用電力センサ
２３ｂａ〜２３ｂｃ  センサ（電流センサ、電圧センサ、温度センサ）
２３ｃａ〜２３ｃｃ  セル
２４      負荷
２４ａ    負荷用電力センサ
２５      分電盤
２６      ＥＭＳ
２７      スマートメータ
３０      需要家Ｂ
３１      ソーラーパネル
３２      太陽光発電用電力変換装置（ＰＣＳ）
３２ａ    発電電力用電力センサ
３３      蓄電装置
３３ａ    蓄電電力用電力センサ
３４      負荷
３４ａ    負荷用電力センサ
３５      分電盤
３６      ＥＭＳ
３７      スマートメータ
４０      需要家Ｃ
４０ａ    外部装置
４４      負荷
４４ａ    負荷用電力センサ
４５      分電盤
４７      スマートメータ（送信装置）
５０      系統
５１      配電網
１３０    需要家Ｂ
【図１】
0006402732.tif 000002
【図２】
0006402732.tif 000003
【図３】
0006402732.tif 000004
【図４】
0006402732.tif 000005
【図５】
0006402732.tif 000006
【図６】
0006402732.tif 000007
【図７】
0006402732.tif 000008
【図８】
0006402732.tif 000009
【図９】
0006402732.tif 000010
【図１０】
0006402732.tif 000011
【図１１】
0006402732.tif 000012